(57)【特許請求の範囲】
【請求項１】
シートクッションと、上記シートクッション上に備えられ側面にサイドエアバッグが格納されたシートバックと、左右のポールを介して上記シートバック上部に装着されるヘッドレストと、を備えた車両用シートに設けられ、着席者を着座状態に保持する胸部固定ベルトであって、
一端が上記左右のポールのうち一方に接続される第一のベルトと、
一端が上記左右のポールのうち他方に接続される第二のベルトと、
一端が上記左右のポールのうち一方に接続され他端が上記第一のベルトまたは上記第二のベルトの他端と係合する第一のベルト受けと、
一端が上記左右のポールのうち他方に接続され他端が上記第一のベルトまたは上記第二のベルトの他端と係合する第二のベルト受けと、を有することを特徴とする、胸部固定ベルト。
【請求項２】
前記第一及び第二のベルトは他端にタングプレートを備え、前記第一及び第二のベルト受けは他端に上記タングプレートと係合するバックルを備えたことを特徴とする、請求項１に記載の胸部固定ベルト。
【請求項３】
シートクッションと、上記シートクッション上に備えられ側面にサイドエアバッグが格納されたシートバックと、左右のポールを介して上記シートバック上部に装着されるヘッドレストと、を備えた車両用シートに設けられ、着席者を着座状態に保持する胸部固定ベルトであって、
一端が上記左右のポールのうち一方に接続される第一のベルトと、
一端が上記左右のポールのうち他方に接続される第二のベルトと、
上記第一のベルトの他端に設けられ上記左右のポールのうち他方に係止する第一の係止部材と、
上記第二のベルトの他端に設けられ上記左右のポールのうち一方に係止する第二の係止部材と、を有することを特徴とする、胸部固定ベルト。
【発明の詳細な説明】
【技術分野】
【０００１】
本発明は、自らの身体を支えることが困難な着席者であっても安全に着座した状態を確保することを可能とする胸部固定ベルトに関する。
【背景技術】
【０００２】
着席者が特に身体障害者や高齢者等であり自らの身体を支えることが困難である場合、身体が左右方向に傾いたりずれたりすることによって、着席感の悪化、安定した着席の阻害が生じ得る。従来、このような事態の発生を回避するためには傾きやずれを同乗者が修正する必要があった。
【０００３】
そのため、図４に示すように、通常のシートベルトＢに加え、着席者Ｐの着座状態を確保するための胸部固定ベルト１０が使用される場合がある。この胸部固定ベルト１０はシートバック２３における着席者の胸部高さに備えられ、胸部固定ベルト１０をシートバック２３に固定するための環状ベルト１０ａと、面ファスナー等により互いに係合可能な右ベルト１０ｂ及び左ベルト１０ｃとからなる胸部固定ベルトであって、装着時は図５に示すように右ベルト１０ｂ及び左ベルト１０ｃを着席者Ｐの胸部前方に横一文字に回してから互いに係合させて接続することで、着席者Ｐをシートバック２３に確実に保持するものである。
【０００４】
しかし、上述した従来の胸部固定ベルト１０では、シートバック２３の側面部にあるサイドエアバッグ２２の展開位置と干渉してしまうため、サイドエアバッグ２２の展開動作を妨げてしまうという問題があった。
【０００５】
特許文献１には、サイドエアバッグの展開位置と干渉しない、子供用ベルトが開示されている。また、特許文献２には、ヘッドレストのポールを利用してシートバックに胴体保持板を装着し、この胴体保持板に備えられたベルトを着席者の胸部前方に横一文字に巻回することで着席者を着座状態に保持するベルトが開示されている。
【特許文献１】特開２００４−２６８８９３号公報
【特許文献２】特開２００３−０１０００３号公報
【発明の開示】
【発明が解決しようとする課題】
【０００６】
しかしながら、特許文献１及び２のベルトはいずれも、着席者を保持するための保持板を要し、部品点数が増えると共に、着席者が搭乗していない状態では外部から目立ってしまい、好ましくない。また、健常者などが特許文献１及び２のベルトを使用せず、通常のシートベルトのみを使用して搭乗する際には、上述した保持板が邪魔になるため、その都度これらを取り外す必要がある。さらに、特許文献２のベルトは、着席者の胸部前方に横一文字に巻回するものであるから、着席者の胸部への圧迫が集中する。
【０００７】
本発明は、上記問題点に鑑みてなされたものであり、サイドエアバッグの展開を妨げることがなく、着席者の胸部への圧迫が少なく、また着席者が搭乗していない状態であっても外部から目立たない、胸部固定ベルトを提供することを目的とする。
【課題を解決するための手段】
【０００８】
上記目的を達成するため、本発明は、シートクッションと、シートクッション上に備えられ、側面にサイドエアバッグが格納されたシートバックと、左右のポールを介してシートバック上に装着されるヘッドレストとを備えた車両用シートに設けられ、着席者を着座状態に保持する胸部固定ベルトであって、一端が左右のポールのうち一方に接続される第一のベルトと、一端が左右のポールのうち他方に接続される第二のベルトと、一端が左右のポールのうち一方に接続され、他端が第一のベルトまたは第二のベルトの他端と係合する第一のベルト受けと、一端が左右のポールのうち他方に接続され、他端が第一のベルトまたは第二のベルトの他端と係合する第二のベルト受けとを有することを特徴とする。
【０００９】
第一及び第二のベルトが他端にタングプレートを備え、第一及び第二のベルト受けが他端にタングプレートと係合するバックルを備えてもよい。
【発明の効果】
【００１０】
本発明の胸部固定ベルトによれば、第一及び第二のベルトの一端がヘッドレストのポールに接続され、他端が第一及び第二のベルト受けに接続されるから、ベルトはシートバックの前方に位置することになり、すなわちシートバックの側方に位置することはないから、サイドエアバッグの展開を妨げることがない。また、第一及び第二のベルトの一端付近が着席者の肩部に当接し、中間部が着席者の背中側で交差しつつ背中に当接することで、胸部へ圧迫が集中せず、着席者を確実に保持することができる。
【００１１】
第一及び第二のベルトが他端にタングプレートを備え、第一及び第二のベルト受けが他端にタングプレートと係合するバックルを備えれば、確実に着席者を保持し得る。
【発明を実施するための最良の形態】
【００１２】
以下、本発明の好ましい実施の形態を、添付図面を参照しながら詳細に説明する。図１は本発明の実施形態に係る胸部固定ベルト１を示し、図２はその使用状態を示す。
【００１３】
胸部固定ベルト１は、シートクッション２１と、シートクッション２１上に備えられ、側面にサイドエアバッグ２２が格納されたシートバック２３と、右のポール２４ａ，左のポール２４ｂを介してシートバック２３上に装着されるヘッドレスト２５とを備えた車両用シート２に設けられ、着席者Ｐを着座状態に保持するものである。
【００１４】
胸部固定ベルト１は、第一のベルト１１ａと、第二のベルト１１ｂと、第一のベルト受け１４ａと、第二のベルト受け１４ｂとを備える。
【００１５】
第一のベルト１１ａは、一端が右のポール２４ａに接続される。また、第二のベルト１１ｂは、一端が左のポール２４ｂに接続される。第一のベルト１１ａ及び第二のベルト１１ｂはそれぞれ、他端にタングプレート１２ａ及び１２ｂを備える。さらに、中間部には長さ調節のためのアジャスタ１３ａ及び１３ｂを備える。第一のベルト１１ａと第二のベルト１１ｂとは、使用時に装着者の背中側で交差するよう中間部で両者は交差しており、互いのクロス部位が縫着されて交差部１１ｃが構成されている。
【００１６】
第一のベルト受け１４ａは一端が右のポール２４ａに接続され、第二のベルト受け１４ｂは一端が左のポール２４ｂに接続される。第一のベルト受け１４ａ及び第二のベルト受け１４ｂはそれぞれ、その先端にバックル１５ａ及び１５ｂを備える。バックル１５ａ及び１５ｂはそれぞれ、タングプレート１２ｂ及び１２ａを受け入れ、係合可能である。
【００１７】
このような胸部固定ベルト１を使用する方法について説明する。
まず、図１のように第一のベルト１１ａと第二のベルト１１ｂとの交差部１１ｃをシートバック面に置き、続いて着席者がシートクッション２１に着座する。この状態で、第一のベルト１１ａを左脇の下から着席者の前方に引き出す。ここで、第一のベルト１１ａは一端が右のポール２４ａに接続されているが、他端に備えられたタングプレート１２ａは自由になっている。そこで、このタングプレート１２ａを第二のベルト受け１４ｂのバックル１５ｂに係合させる。同様に、第二のベルト１１ｂを右脇の下から着席者の前方に引き出し、そのタングプレート１２ｂを第一のベルト受け１４ａのバックル１５ａに係合させる。ここで、適宜アジャスタ１３ａ及び１３ｂにより長さを調節する。その後、通常のシートベルトＢを着用する。
【００１８】
このように装着することで、第一及び第二のベルト１１ａ，１１ｂは着席者Ｐの背後でたすき掛け状になり、着席者Ｐの前面においてはその中間付近が肩部付近に当接するから、着席者Ｐを確実に着座状態に保持することができると共に、着席者Ｐの胸部への圧迫が集中することもなく、外部からも目立たない。また、第一及び第二のベルト１１ａ，１１ｂはシートバック２３の前方に位置し、シートバック２３の側方に位置することはないから、サイドエアバッグ２２の展開を妨げることはない。また、簡素な構成であり、後付け対応が容易に可能である。
【００１９】
以上説明したように、本発明の胸部固定ベルトは、側面にサイドエアバッグが格納されたシートバックを備えたシートに設置され、ヘッドレストの左右のポールとシートクッションと上記シートバックとの接合部付近との間にベルトを交差して架け渡すことにより着席者を着座状態に保持するものであり、その主旨を逸脱しない範囲内において様々な形態で実施することができる。
【００２０】
例えば、バックルとタングプレートとの位置関係は逆であってもよいし、バックル及びタングプレートの代わりに面ファスナーを使用し、そのループ面とフック面との係合により着席者を保持してもよい。この場合は、着席者自身が容易に胸部固定ベルトを着用することができる。また、各ベルト及びベルト受け部の長さは適宜設計可能であるし、巻取り機構により収納可能に構成してもよい。
【００２１】
また、バックルとタングプレートとの係合構造の代わりに、図３に示すように、第一のベルト１１ａの他端に設けられ左のポール２４ｂに係止する第一の係止部材３０ａと、第二のベルト１１ｂの他端に設けられ右のポール２４ａに係止する第二の係止部材３０ｂとで構成することもできる。この場合、第一及び第二の係止部材３０ａ，３０ｂとして、フックやカラビナなどを利用することができる。
【００２２】
さらに、装着方法に関し、第一のベルト１１ａと第二のベルト１１ｂとを着席者Ｐの背後で交差させず、それぞれ第一のベルト受け１４ａと第二のベルト受け１４ｂとに係合させてもよい。
なお、上述のように胸部固定ベルトは通常のシートベルトと併用する。具体的には、胸部固定ベルトを着用した状態でその上から通常のシートベルトを装着する。
【図面の簡単な説明】
【００２３】
【図１】第一実施形態に係る胸部固定ベルトを示す斜視図である。
【図２】図１の胸部固定ベルトの装着状態を示す斜視図である。
【図３】本発明の他の構成例に係る胸部固定ベルトを示す斜視図である。
【図４】従来の胸部固定ベルトを示す斜視図である。
【図５】図４の胸部固定ベルトの装着状態を示す斜視図である。
【符号の説明】
【００２４】
１，１０  胸部固定ベルト
２      車両用シート
１０ａ  環状ベルト
１０ｂ  右ベルト
１０ｃ  左ベルト
１１ａ  第一のベルト
１１ｂ  第二のベルト
１２ａ  タングプレート
１２ｂ  タングプレート
１３ａ，１３ｂ  アジャスタ
１４ａ  第一のベルト受け
１４ｂ  第二のベルト受け
１５ａ，１５ｂ  バックル
２１    シートクッション
２２    サイドエアバッグ
２３    シートバック
２４ａ  右のポール
２４ｂ  左のポール
２５    ヘッドレスト
Ｂ      シートベルト
Ｐ      着席者
【図１】
0004478962.tif 000002
【図２】
0004478962.tif 000003
【図３】
0004478962.tif 000004
【図４】
0004478962.tif 000005
【図５】
0004478962.tif 000006